【事件の表示】
　特許第３３３４０３１号「ズームレンズ鏡胴」の請求項１、３ないし６に係る特許に対する特許異議の申立てについて、次のとおり決定する。
【結　論】
　訂正を認める。
　特許第３３３４０３１号の請求項１、３ないし５に係る特許を維持する。
【理　由】
１．手続の経緯
　本件特許第３３３４０３１号の発明は、平成８年８月６日に特許出願され、平成１４年８月２日にその特許の設定登録がなされたものであり、その後、戸叶　孝一より特許異議の申立てがなされ、取消しの理由が通知され、その指定期間内である平成１５年１２月１１日に訂正請求がなされたものである。　
　
２．訂正の適否についての判断
（１）［訂正の内容］
　別紙「訂正の内容」参照。
　
（２）［訂正の適否］ 
　本件訂正事項ａは特許請求の範囲の減縮を目的とするものであり、「第１レンズ（６８）をフォーカス移動させる」を付加することは、特許明細書の段落番号【００４０】、【００４１】の「第２レンズ枠６０は、前述のように、駆動筒７０の回転によって回転されるので、第２レンズ枠６０は第２成分ズーム枠５０に対して回転する。第２レンズ枠６０のフォーカス用外ヘリコイド６４と第２成分ズーム枠５０のフォーカス用内ヘリコイド５４とは互いに係合しているので、回転された第２レンズ枠６０は、静止状態の第２成分ズーム枠５０に対して、矢印９８で示したように、軸方向前方に移動する。したがって、空走区間においては、第１レンズ群３８が静止した状態で第２レンズ群６８だけが軸方向に移動され、フォーカス送りが与えられる。」という記載に基づくものである。
　本件訂正事項ｂは特許請求の範囲の減縮を目的とするものであり、「遊び量の範囲外で、上記第１伝達手段（７０）の駆動力を上記ズーム駆動系（２０，３０，４０，５０，６０）に伝達するとともに、上記第１伝達手段（７０）から上記フォーカス駆動系（５０，６０）への上記第１レンズ（６８）をフォーカス移動させる駆動力の伝達が行われないようにする第２伝達手段（４８）とを備え、」及び「上記遊び量の範囲外では、上記フォーカス駆動系（５０，６０）による上記第１レンズ（６８）のフォーカス駆動が行われることなく、上記第２伝達手段（４８）を介して上記ズーム駆動系（２０，３０，４０，５０，６０）が駆動されて、」を付加することは、特許明細書の段落番号【００４４】の「第２成分ズーム枠５０の内部に収納された第２レンズ枠６０は、前述のように駆動筒７０と一体的に回転する。そのため、第２成分ズーム枠５０と第２レンズ枠６０とは一体的に回転し、相対回転しないので、軸方向に相対移動しない。したがって、第２レンズ枠６０に支持された第２レンズ群６８は、第２成分ズーム枠５０に対して軸方向に相対移動することなしに一体的に軸方向に移動する。」という記載に基づくものである。
　本件訂正事項ｃは特許請求の範囲の減縮を目的として請求項６を削除するものである。
　したがって、本件訂正事項ａ、ｂ、ｃは特許明細書に記載した事項の範囲内においてするものである。
　また、本件訂正事項ａ、ｂ、ｃは、実質上特許請求の範囲を拡張・変更するものではない。
　以上のとおりであるから、上記訂正は、特許法第１２０条の４第２項ただし書及び同条第３項において準用する特許法１２６条第２項から第４項までの規定に適合するので、当該訂正を認める。
　
３．特許異議の申立てについて
（１）［本件発明］
　本件請求項１、３ないし５に係る発明（以下、「本件発明１、３ないし５」という。）は、訂正明細書の特許請求の範囲の請求項１、３ないし５に記載された事項により特定される次のとおりのものである。
　「【請求項１】　第１レンズ（６８）が組み込まれており、上記第１レンズ（６８）をフォーカス移動させるフォーカス駆動系（５０，６０）と、
該フォーカス駆動系（５０，６０）と、さらに他の第２のレンズ（３８）とが組み込まれており、上記フォーカス駆動系（５０，６０）全体と上記第２レンズ（３８）とを相対的にズーム移動させるズーム駆動系（２０，３０，４０，５０，６０）と、
外部駆動源からの駆動力を上記フォーカス駆動系（５０，６０）に伝達する第１伝達手段（７０）と、
該第１伝達手段（７０）との間に所定の遊び量を有し、該遊び量の範囲外で、上記第１伝達手段（７０）の駆動力を上記ズーム駆動系（２０，３０，４０，５０，６０）に伝達するとともに、上記第１伝達手段（７０）から上記フォーカス駆動系（５０，６０）への上記第１レンズ（６８）をフォーカス移動させる駆動力の伝達が行われないようにする第２伝達手段（４８）とを備え、
上記遊び量の範囲内では、上記第１伝達手段（７０）を介して上記フォーカス駆動系（５０，６０）のみが駆動されて、上記第１レンズ（６８）がフォーカス移動せしめられる一方、上記遊び量の範囲外では、上記フォーカス駆動系（５０，６０）による上記第１レンズ（６８）のフォーカス駆動が行われることなく、上記第２伝達手段（４８）を介して上記ズーム駆動系（２０，３０，４０，５０，６０）が駆動されて、上記フォーカス駆動系（５０，６０）全体と上記第２レンズ（３８）とがズーム移動せしめられることを特徴とする、ズームレンズ鏡胴。
【請求項３】　上記第１レンズ（６８）は、上記第２レンズ（３８）に関して被写体とは反対側に備えられることを特徴とする、請求項１記載のズームレンズ鏡胴。
【請求項４】　上記第１レンズ（６８）より被写体側にシャッター機構（３５，３６）をさらに備えることを特徴とする、請求項１記載のズームレンズ鏡胴。
【請求項５】　上記ズーム駆動系（２０，３０，４０，５０，６０）は、上記ズーム駆動系（２０，３０，４０，５０，６０）が駆動されるときにファインダー装置（１６，１７，１８）に駆動力を伝達するファインダー駆動伝達手段（４７）をさらに備えることを特徴とする、請求項１記載のズームレンズ鏡胴。」
　
（２）［引用刊行物記載の発明］
　当審が通知した取消しの理由に引用された刊行物
　刊行物１：特開平４−３１７０１５号公報（甲第１号証）　
　刊行物２：特開平８−１０６０３５号公報（甲第２号証）　
　刊行物３：特開平５−１９３３２号公報（甲第３号証）　
　刊行物１には、１個の駆動源を用いてズーミングもフォーカシングも行えるようにし、且つ部品点数を少なくするために、１群レンズを駆動するズーム用駆動環と、２群レンズを駆動するフォーカス兼ズーム用駆動環と、フォーカス兼ズーム用駆動環を正逆方向に回動させる回転駆動源と、上記ズーム用駆動環とフォーカス兼ズーム用駆動環との対向部に形成され、フォーカス兼ズーム用駆動環の回動に応じてズーム用駆動環を回動させる係合部と押圧回動させない空走部とから成るクラッチ手段とを具備し、上記空走部内でのフォーカス兼ズーム用駆動環の回動によりフォーカス動作を行い、上記係合部によるフォーカス兼ズーム用駆動環とズーム用駆動環との連動回動によりズーム動作を行うようにしたものが記載されている。
　刊行物２には、第１レンズ群と第２レンズ群の間にシャッターユニットを配置する構成が記載されている。
　刊行物３には、撮影光学系のズーミングに連動してファインダ光学系のズーミングを行う構成が記載されている。
　
（３）［対比・判断］
［本件発明１について］
　本件発明１と刊行物１記載の発明とを対比すると、刊行物１記載の発明は、本件発明１が具備する「遊び量の範囲外では、フォーカス駆動系による第１レンズのフォーカス駆動が行われることなく、第２伝達手段を介してズーム駆動系が駆動されて、フォーカス駆動系全体と上記第２レンズとがズーム移動せしめられ」という構成を具備していない。
　また、かかる点は、前記刊行物２、３に記載も示唆もなされていない。
　しかも本件発明１は、前記構成を有することで、明細書記載の「第１伝達手段からの駆動に対するフォーカス移動の分解能及び精度はフォーカス駆動系の構成によって決まり、第２伝達手段からの駆動に対するズーム移動の分解能及び精度はズーム駆動系の構成によって決まるので、ズーム移動量を確保しながら、十分な分解能及び精度のフォーカスが得られる。」といった顕著な効果を奏するものと認められる。
　してみると、本件発明１は、刊行物１に記載された発明と同一であるとも、刊行物１〜３に記載された発明に基づき当業者が容易に発明することができたものとも認められない。
　したがって、本件発明１の特許は、特許法第２９条第１項第３号または同法第２９条第２項のいずれの規定にも違反してなされたものではない。
　
［本件発明３について］
　本件発明３は、本件発明１の構成要件を全て含み、さらに他の構成要件を付加したものに相当するから、本件発明１について説示したのと同様の理由により、本件発明３は、刊行物１に記載された発明と同一であるとも、また刊行物１〜３に記載された発明に基づき、当業者が容易に発明することができたとも認めることはできない。
　したがって、本件発明３の特許は、特許法第２９条第１項第３号または同法第２９条第２項のいずれの規定にも違反してなされたものではない。
　
［本件発明４、５について］
　本件発明４、５は、本件発明１の構成要件を全て含み、さらに他の構成要件を付加したものに相当するから、本件発明１について説示したのと同様の理由により、本件発明４、５は、刊行物１〜３に記載された発明に基づき、当業者が容易に発明することができたと認めることはできない。
　したがって、本件発明４、５の特許は、特許法第２９条第２項の規定に違反してなされたものではない。
　
（４）［結び］
　したがって、特許異議申立ての理由および証拠によっては、本件発明についての特許を取り消すことはできない。
　また、他に本件発明についての特許を取り消すべき理由を発見しない。
　よって、結論のとおり決定する。
　
 別紙「訂正の内容」
訂正事項
ａ．請求項１において、
　「第１レンズ（６８）を含むフォーカス駆動系（５０，６０）と、」を
　「第１レンズ（６８）が組み込まれており、上記第１レンズ（６８）をフォーカス移動させるフォーカス駆動系（５０，６０）と、」に訂正する。
ｂ．請求項１において、
　「該第１伝達手段（７０）との間に所定の遊び量を有し、該遊び量の範囲外で、上記第１伝達手段（７０）の駆動力を上記ズーム駆動系（２０，３０，４０，５０，６０）に伝達する第２伝達手段（４８）とを備え、上記遊び量の範囲内では、上記フォーカス駆動系（５０，６０）のみが駆動されて、上記第１レンズ（６８）がフォーカス移動せしめられる一方、上記遊び量の範囲外では、上記ズーム駆動系（２０，３０，４０，５０，６０）が駆動されて、上記フォーカス駆動系（５０，６０）全体と上記第２レンズ（３８）とがズーム移動せしめられる」を
　「該第１伝達手段（７０）との間に所定の遊び量を有し、該遊び量の範囲外で、上記第１伝達手段（７０）の駆動力を上記ズーム駆動系（２０，３０，４０，５０，６０）に伝達するとともに、上記第１伝達手段（７０）から上記フォーカス駆動系（５０，６０）への上記第１レンズ（６８）をフォーカス移動させる駆動力の伝達が行われないようにする第２伝達手段（４８）とを備え、上記遊び量の範囲内では、上記第１伝達手段（７０）を介して上記フォーカス駆動系（５０，６０）のみが駆動されて、上記第１レンズ（６８）がフォーカス移動せしめられる一方、上記遊び量の範囲外では、上記フォーカス駆動系（５０，６０）による上記第１レンズ（６８）のフォーカス駆動が行われることなく、上記第２伝達手段（４８）を介して上記ズーム駆動系（２０，３０，４０，５０，６０）が駆動されて、上記フォーカス駆動系（５０，６０）全体と上記第２レンズ（３８）とがズーム移動せしめられる」に訂正する。
ｃ．請求項６を削除する。
【異議決定日】
平成１６年４月２１日（２００４．４．２１）
【訂正の要旨】
審決（決定）の【理由】欄参照。
（５４）【発明の名称】
ズームレンズ鏡胴
（５７）【特許請求の範囲】
　【請求項１】　第１レンズ（６８）
が組み込まれており、上記第１レンズ（６８）をフォーカス移動させる
該フォーカス駆動系（５０，６０）と、さらに他の第２のレンズ（３８）とが組み込まれており、上記フォーカス駆動系（５０，６０）全体と上記第２レンズ（３８）とを相対的にズーム移動させるズーム駆動系（２０，３０，４０，５０，６０）と、
外部駆動源からの駆動力を上記フォーカス駆動系（５０，６０）に伝達する第１伝達手段（７０）と、
該第１伝達手段（７０）との間に所定の遊び量を有し、該遊び量の範囲外で、上記第１伝達手段（７０）の駆動力を上記ズーム駆動系（２０，３０，４０，５０，６０）に伝達
するとともに、上記第１伝達手段（７０）から上記フォーカス駆動系（５０，６０）への上記第１レンズ（６８）をフォーカス移動させる駆動力の伝達が行われないように
上記遊び量の範囲内では、
上記第１伝達手段（７０）を介して
上記フォーカス駆動系（５０，６０）による上記第１レンズ（６８）のフォーカス移動が行われることなく、上記第２伝達手段（４８）を介して
　【請求項２】　上記フォーカス駆動系（５０，６０）は、上記第１レンズ（６８）を支持しかつ上記第１伝達手段（７０）によって回転されるレンズ枠（６０）と、該レンズ枠（６０）を内部に移動自在に支持しかつ上記ズーム駆動系（２０，３０，４０，５０，６０）によって支持されてズーム移動される筒状のズーム枠（５０）とを有し、上記レンズ枠（６０）と上記ズーム枠（５０）とはヘリコイド結合され、
上記ズーム駆動系（２０，３０，４０，５０，６０）は、上記第２伝達手段（４８）から駆動力が伝達されたときに、上記フォーカス駆動系（５０，６０）の上記ズーム枠（５０）を、上記第１伝達手段（７０）によって回転される上記フォーカス駆動系（５０，６０）の上記レンズ枠（６０）と同じ方向にかつ同じ回転量だけ回転させることを特徴とする、請求項１記載のズームレンズ鏡胴。
　【請求項３】　上記第１レンズ（６８）は、上記第２レンズ（３８）に関して被写体とは反対側に備えられることを特徴とする、請求項１記載のズームレンズ鏡胴。
　【請求項４】　上記第１レンズ（６８）より被写体側にシャッター機構（３５，３６）をさらに備えることを特徴とする、請求項１記載のズームレンズ鏡胴。
　【請求項５】　上記ズーム駆動系（２０，３０，４０，５０，６０）は、上記ズーム駆動系（２０，３０，４０，５０，６０）が駆動されるときにファインダー装置（１６，１７，１８）に駆動力を伝達するファインダー駆動伝達手段（４７）をさらに備えることを特徴とする、請求項１記載のズームレンズ鏡胴。
【発明の詳細な説明】
　【０００１】
　【発明の属する技術分野】本発明は、ズームレンズ鏡胴およびズームレンズ用ファインダー装置に関する。
　【０００２】
　【従来の技術】従来、大部分のズームレンズ鏡胴では、焦点距離を変えるために複数のレンズをズーム移動させるズーム送りと、フォーカス調整のために一部のレンズだけをフォーカス移動させるフォーカス送りとを、別個の駆動モータで与えている。しかし、小型化・低コスト化等のためには１つの駆動モータで両方の送りを与えることが望ましい。そこで、１つの駆動モータで両方の送りを与えることができるようにしたズームレンズ鏡胴が、いくつか提案されている。
　【０００３】たとえば、特開平６−２０２２１３号公報で示された図７の分解斜視図に示したレンズ鏡胴１ａは、レンズ鏡胴１ａの内部に１個の駆動モータ６と回転伝達歯車列７とが設けられていて、駆動モータ６からの回転の伝達を歯車列７によって切り換え、ズーム送り機構またはフォーカス送り機構のどちらか一方に回転を伝達するようになっている。しかし、このレンズ鏡胴１ａは、レンズ鏡胴１ａ内に駆動モータ６や歯車列７を収納する必要があるため、レンズ鏡胴１ａが全体的に大きくなる。
　【０００４】これに対し、特開平４−３１７０１５号公報で示された図８の組立斜視図に示したレンズ鏡胴１ｂは、外部に駆動モータ６を設けることによって、全体的に小さくすることが可能である。このレンズ鏡胴１ｂは、第１および第２レンズ群８，９を移動させるためのカム溝２ａ，４ａがそれぞれ形成された第１および第２駆動環２，４を遊びを設けて同軸に直列結合し、第１および第２レンズ群８，９を駆動するようになっている。このレンズ鏡胴１ｂは、両駆動環２，４の結合部２ｂ，４ｂが互いに当接するまでの遊び範囲内においては、フォーカス送りが与えられる。すなわち、駆動モータ６からの回転は第２駆動環４にだけ伝達され、第２レンズ群９だけが移動し、第１駆動環２および第１レンズ群８は静止したままである。一方、第２駆動環４が所定以上回転されて両駆動環２，４の結合部２ｂ，４ｂが互いに当接して遊び範囲外となると、ズーム送りが与えられる。すなわち、第２駆動環４から第１駆動環２に回転が伝達され、両レンズ群８，９は各駆動環２，４のカム溝２ａ，４ａに沿って移動する。つまり、このレンズ鏡胴１ｂでは、駆動環２，４の結合の遊びの範囲の内外によって、フォーカス送りとズーム送りとを別々に与えるようにしている。
　【０００５】しかし、このレンズ鏡胴１ｂでは、第２レンズ群９に対してフォーカス送りとズーム送りとを同じカム溝４ａで与えているので、フォーカス送りの分解能及び精度とズーム送りの分解能及び精度とは同じとなる。ところが、図９のカム曲線図に示すように、フォーカス送りのための第２レンズ群９の移動量は、ズーム送りのためのレンズ群８，９の移動量に比べて非常に小さく、たとえば、フォーカス送りのための移動量はズーム送りのための移動量の１／３以下である。さらに、一般に、フォーカス送りでは精度が必要であるので分解能を高くすることが要求されるが、ズームの移動量を確保できるようにカムを形成した場合、カムが急勾配になり、フォーカスに要求される分解能及び精度を達成できないし、困難になる。
　【０００６】
　【発明が解決しようとする課題】したがって、本発明の解決すべき技術的課題は、１つの外部駆動源からの回転駆動力によって、フォーカス送りとズーム送りとを、それぞれ最適な分解能及び精度で別々に与えプラス小型化したズームレンズ鏡胴を提供することである。
　【０００７】
　【課題を解決するための手段および作用・効果】上記の技術的課題を解決するための本発明に係るズームレンズ鏡胴は、フォーカス駆動系が組み込まれたズーム駆動系を備え、外部駆動源に接続された駆動伝達手段により、上記フォーカス駆動系に伝達の遊びなしに駆動力を伝達する一方、上記ズーム駆動系に所定の伝達の遊びをもって駆動力を伝達することを、本質的特徴とする。
　【０００８】上記構成において、伝達手段の伝達の遊びの範囲内では、フォーカス駆動系だけが駆動され、伝達の遊びの範囲外では、ズーム駆動系が駆動される。ズーム駆動系が駆動されると、フォーカス駆動系全体が、フォーカス駆動系が含むレンズとともに移動されて、ズーム移動される。駆動伝達手段からの駆動力の伝達により、ズーム移動量を確保しながら、十分なフォーカス分解能及び精度を与えられるように、フォーカス駆動系とズーム駆動系とを構成することができる。
　【０００９】本発明は、種々の態様によって具体化される。
　【００１０】第１の態様によれば、ズームレンズ鏡胴は、１または２以上のレンズからなる第１レンズを含むフォーカス駆動系と、このフォーカス駆動系とさらに他の第２のレンズ（複数であってもよい）とが組み込まれており、上記フォーカス駆動系全体と上記第２レンズとを相対的にズーム移動させるズーム駆動系と、外部駆動源からの駆動力を上記フォーカス駆動系に伝達する第１伝達手段と、この第１伝達手段との間に所定の遊び量を有し、この遊び量の範囲外で、上記第１伝達手段の駆動力を上記ズーム駆動系に伝達する第２伝達手段とを備える。そして、上記遊び量の範囲内では、上記フォーカス駆動系のみが駆動されて、上記第１レンズがフォーカス移動せしめられる一方、上記遊び量の範囲外では、上記ズーム駆動系が駆動されて、上記フォーカス駆動系全体と上記第２レンズとがズーム移動せしめられる。
　【００１１】上記構成において、フォーカス駆動系は、遊び量の範囲の内外において、第１伝達手段から駆動力が伝達されて駆動される。一方、遊び量の範囲外では、第２伝達手段から駆動力が伝達されて、ズーム駆動系が駆動される。このとき、ズーム駆動系は、フォーカス駆動系全体を第２レンズとともにズーム移動する。すなわち、第１レンズと第２レンズとがズーム移動される。第１伝達手段からの駆動に対するフォーカス移動の分解能及び精度はフォーカス駆動系の構成によって決まり、第２伝達手段からの駆動に対するズーム移動の分解能及び精度はズーム駆動系の構成によって決まるので、ズーム移動量を確保しながら、十分な分解能及び精度のフォーカスが得られる。
　【００１２】上記構成のズームレンズは、一般には、ズーム操作の後にフォーカス操作が行なわれる。すなわち、まず、外部駆動源は、遊び量の範囲を越えて第１伝達手段に駆動力を与え、第２伝達手段を介してズーム駆動系に駆動力を伝達し、ズーム動作を行なわせる。次に、外部駆動源は、遊び量の範囲内で逆方向に駆動し、第１伝達手段だけに駆動力を与え、フォーカス回転駆動系のみを駆動して、フォーカス動作を行なわせる。
　【００１３】したがって、１つの外部駆動源からの駆動力によって、フォーカス送りとズーム送りとを、それぞれ必要な移動量及び分解能及び精度で、別々に与えることができる。
　【００１４】好ましくは、上記フォーカス駆動系は、上記第１レンズを支持しかつ上記第１伝達手段によって回転されるレンズ枠と、このレンズ枠を内部に移動自在に支持しかつ上記ズーム駆動系によって支持されてズーム移動される筒状のズーム枠とを有し、上記レンズ枠と上記ズーム枠とはヘリコイド結合される。上記ズーム駆動系は、上記第２伝達手段から駆動力が伝達されたときに、上記フォーカス駆動系の上記ズーム枠を、上記第１伝達手段によって駆動される上記フォーカス駆動系の上記レンズ枠と同じ方向にかつ同じ回転量だけ回転させる。
　【００１５】上記構成において、遊び量の範囲内では、第１駆動手段からの回転駆動力の伝達によって、フォーカス駆動系のレンズ枠は、静止状態のズーム駆動系に支持されたズーム枠に対して相対回転される。レンズ枠とズーム枠とはヘリコイド結合されているので、この相対回転によって、レンズ枠は前後にフォーカス移動される。一方、遊び量の範囲外では、第２伝達手段によって駆動されたズーム駆動系は、フォーカス駆動系のズーム枠を、第１伝達手段によって回転されるレンズ枠と同じ方向に同じ回転量だけ回転するので、フォーカス駆動系のレンズ枠とズーム枠との間には相対回転がなくなり、レンズ枠はズーム枠に対して相対移動されなくなる。そのため、フォーカス駆動系は、フォーカス移動されることなく、ズーム移動される。したがって、フォーカス駆動系のレンズ枠とズーム枠とのヘリコイドのリード等を適宜に選択することにより、フォーカス移動を容易に高分解能とすることができる。
　【００１６】好ましくは、上記第１レンズは、上記第２レンズに関して被写体とは反対側に備えられる。
　【００１７】上記構成において、第１レンズを含むフォーカス駆動系は、ズームレンズ鏡胴のカメラ本体側に配置される。そのため、ズームレンズ鏡胴が繰り出されてもフォーカス駆動系はカメラ本体の近くに位置するので、第１伝達手段は、外部駆動源から短い経路でフォーカス駆動系に駆動力を伝達することができる。したがって、ズームレンズ鏡胴の構成が簡単になる。
　【００１８】好ましくは、上記ズームレンズ鏡胴は、さらに、上記第１レンズより被写体側にシャッター機構を備える。
　【００１９】上記構成において、シャッター機構は、ズーム駆動系によって全体が駆動されるフォーカス駆動系から離れて配置されるので、ズーム駆動系が駆動されても、回転しないように構成することが容易である。シャッター機構が回転しなければ、カメラ本体側のＣＰＵや電源などと接続するためのケーブルやフレキシブル基板などがねじれることはない。また、それらの回転しないものの間を通って、回転駆動力をフォーカス、ズーム駆動系に伝える必要もない。したがって、ズームレンズ鏡胴の構成が簡単になる。
　【００２０】好ましくは、上記ズームレンズ鏡胴の上記ズーム駆動系は、さらに、上記ズーム駆動系が駆動されるときにファインダー装置に駆動力を伝達するファインダー駆動伝達手段を備える。
　【００２１】上記構成において、ファインダー駆動伝達手段は、ズームレンズ鏡胴のズーム駆動系が駆動されたときに、その駆動と同期して、駆動力をファインダー装置に伝達する。したがって、ズームレンズ鏡胴のズーム動作に同期して、ファインダー装置がズーム動作を行なうようにすることができる。また、フォーカス駆動時には、ファインダー装置は駆動されない。
　【００２２】また、本発明は、ズームレンズ用ファインダー装置を提供する。このファインダー装置は、上記した本発明のズームレンズに限らず、一般のズームレンズとともに用いることができる。
　【００２３】ズームレンズ用ファインダー装置は、ズームレンズのズーム駆動系に接続された駆動伝達手段を備える。この駆動伝達手段は、ファインダー装置のファインダーズーム駆動系に駆動力を伝達する。
　【００２４】上記構成において、ズームレンズのズーム駆動系が駆動されると、ズームレンズはズーム駆動される。このとき、ズームレンズのズーム駆動系は、ファインダー装置の駆動伝達手段にも駆動力を伝達するので、その駆動力によって、ファインダー装置のファインダーズーム駆動系が駆動される。したがって、ファインダー装置は、専用の駆動源を用いることなく、簡単な構成で、ズームレンズのズーム駆動に連動してズーム駆動される。
　【００２５】上記構成では、ファインダー装置には、ズームレンズのズーム駆動系を介して駆動力が伝達されるが、ズームレンズのズーム駆動系を介さずに駆動力を伝達するように構成することも可能である。
　【００２６】ズームレンズ用ファインダー装置は、ズームレンズのズーム駆動に連動して、ファインダーズーム駆動系が駆動される。ズームレンズは、外部駆動源に接続されたレンズ駆動伝達手段により、フォーカス駆動系には伝達の遊びなしに駆動力が伝達される一方、ズーム駆動系には所定の伝達の遊びをもって駆動力が伝達される。ズームレンズ用ファインダー装置は、上記外部駆動源に接続され、上記ズームレンズの上記レンズ駆動伝達手段の上記ズーム駆動系に対する所定の上記伝達の遊びと同じ遊び量の伝達の遊びをもって、上記外部駆動源からの駆動力を上記ファインダーズーム駆動系に伝達するファインダー駆動伝達手段を備える。
　【００２７】上記構成において、ファインダー装置のファインダー駆動伝達手段と、ズームレンズのレンズ駆動伝達手段とは、同期する同じ伝達の遊びをもって、外部駆動源からの駆動力をそれぞれ伝達する。そのため、所定の伝達遊びの範囲内においては、ズームレンズのレンズ駆動伝達手段はズーム駆動系に駆動力を伝達しないので、ズームレンズはズーム駆動されない。また、ファインダー駆動伝達手段は、ファインダーズーム駆動系に駆動力を伝達しないので、ファインダー装置はズーム駆動されない。一方、所定の伝達遊びの範囲外においては、ズームレンズのレンズ駆動伝達手段はズーム駆動系に駆動力を伝達するので、ズームレンズはズーム駆動される。また、ファインダー駆動伝達手段は、ファインダーズーム駆動系に駆動力を伝達するので、ファインダー装置はズーム駆動される。したがって、ファインダー装置は、ファインダー装置専用の駆動源を用いることなく、簡単な構成で、ズームレンズのズーム駆動に連動してズーム駆動される。
　【００２８】
　【発明の実施の形態】以下に、図１〜図６および図１０〜図１３に示した本発明の各実施形態に係るズームレンズ鏡胴１０，１０ａ，１０ｂおよびファインダー装置について詳細に説明する。
　【００２９】まず、図１〜図５を参照しながら、第１実施形態に係るズームレンズ鏡胴１０について説明する。
　【００３０】このズームレンズ鏡胴１０は、レンズシャッタ式のいわゆるコンパクトカメラに用いられる。このズームレンズ鏡胴１０は、図１の組立斜視図に示すように、大略、固定筒２０と、この固定筒２０の内部に収納された移動筒１２とを有する。移動筒１２は、不図示の駆動モータからの回転がレンズ駆動長ギヤ１４を介して伝達されて移動されるようになっている。このズームレンズ鏡胴１０は、図２の分解斜視図に示すように、基本的には、回転筒４０が回転されて、直進筒３０および回転筒４０が固定筒２０から一体的に繰り出され、ズーミングが行われるように構成されている。また、ファインダーユニット１８には、詳細は後述するが、ズームレンズ鏡胴１０の移動部１２に伝達された回転が、ファインダー駆動長ギヤ１６を介して伝達される。これによって、ファインダー像の大きさはズームレンズ鏡胴１０のズーム動作に連動して変化し、ファインダー装置がズーミングされるようになっている。
　【００３１】詳しくは、図２および図３，４の縦断面図に示すように、固定筒２０は、大略円筒形状の円筒部２１を有し、不図示の固定部によってカメラのボディに固定される。固定筒２０の円筒部２１の周壁には、図２に示すように、軸方向に延在する矩形形状の貫通する１つのリード線通し穴２９および貫通する２つの直進ガイド穴２２ａ，２２ｂが形成されている。直進ガイド穴２２ａ，２２ｂは、固定筒２０の円筒部２１の後端２１ｂ、すなわち被写体側（矢印９０で示す）とは反対側の端面にまで達し、円筒部２１の後端２１ｂに開口部２１ｓ，２１ｔを形成している。固定筒２０の円筒部２１の各開口部２１ｓ，２１ｔ付近は、径方向外側に突出するガイド穴ブリッジ２４ａ，２４ｂによって、連結されている。固定筒２０の円筒部２１の内周面２１ｙには、リード線通し穴２９に沿って軸方向に延在する１本の直進キー２８と、螺旋状に延在する３本のリード２６（１本は図示せず）とが隆起している。固定筒２０の外側には、固定筒２０の各直進ガイド穴２２ａ，２２ｂに沿って固定筒２０と平行に延在するレンズ駆動長ギヤ１４とファインダー駆動長ギヤ１６とが、それぞれ回転自在にカメラのボディあるいは固定筒２０に固定され、各長ギヤ１４，１６の外周面が固定筒２０の円筒部２１の内周面２１ｙを越えて内側まで挿入されるようになっている。
　【００３２】移動部１２は、図４に示すように、直進筒３０、回転筒４０、第２成分ズーム枠５０、第２レンズ枠６０、および駆動筒７０からなり、大略、固定筒２０の後端２１ｂ側から、この順に前方９０へ挿入され、図３，４に示すように組み立てられる。ただし、後述するように、第２成分ズーム枠５０は回転筒４０の円筒部４１の前端４１ａ側から挿入される。
　【００３３】直進筒３０は、固定筒２０の円筒部２１の内部に円筒部２１の内周面に接近して配置される大略円筒形状の円筒部３１を有する。円筒部３１の後端部３１ｂには、径方向外側に突出する２つの直進係合突起３２が突設され、固定筒２０の直進ガイド穴２２ａ，２２ｂにそれぞれ摺接して、軸方向に案内されるようになっている。直進係合突起３２は径方向外側からＵ字状の切り欠き３２ａ、すなわち長ギヤ逃げ部３２ａを有し、レンズ駆動長ギヤ１４およびファインダー駆動長ギヤ１６に干渉しないようになっている。円筒部３１の内部には、その前端部３１ａに第１レンズ群３８が固定されている。さらに、この第１レンズ群３８に隣接して、シャッター３５およびシャッター駆動ユニット３６（図３，４参照）が固定されている。これよりさらに後側の筒部３１の内周面３１ｙには、非貫通すなわち有底の３本の第２成分ズームカム溝３４（１本のみ図示）および有底の１本のリード線逃げ溝３９とが形成されている。直進筒３０内に固定されたシャッター駆動ユニット３６に一端が接続されたリード線３７（またはフレキシブル基板）は、直進筒３０のリード線逃げ溝３９に収納され、固定筒２０のリード線通し穴２９を通って、カメラ本体側のＣＰＵ８０（後述する）および電源（図示せず）に接続される。
　【００３４】回転筒４０は、直進筒３０の円筒部３１の内部に円筒部３１の内周面に接近して配置される大略円筒状の円筒部４１と、この円筒部４１の後端から径方向外側に延在するフランジ部４５とを有し、不図示のバヨネット部により、軸方向に相対移動不自在でかつ相対回転自在に、直進筒３０に結合されるようになっている。
円筒部４１には、前端４１ａから軸方向後方に延在する３本のズーム回転伝達穴４２（１本は図示せず）が貫通している。フランジ部４５は、固定筒２０の円筒部２１の内部に収納される。フランジ部４５の外周面には、３箇所のリード結合部４６と、１箇所のファインダー連動ギヤ部４７とが形成されており、リード結合部４６と連動ギヤ部４７とはほぼ同径に位置している。ファインダー連動ギヤ部４７には、固定筒２０の片方のガイド穴２２ｂから挿入されたファインダー駆動長ギヤ１６が噛合するようになっている。このファインダー駆動長ギヤ１６には、図１に示すように、ファインダーユニット１８のファインダーズームカム１９に結合された連動ギヤ１７が噛合し、ファインダー視野の大きさがズームレンズ鏡胴１０の動作に連動して調整されるようになっている。この連動ギヤ１７は、ファインダー装置の駆動伝達手段を構成する。回転筒４０のリード結合部４６は固定筒２０の円筒部２１の内周面２１ｙのリード２６に係合し、回転筒４０が固定筒２０に対して回転すると、回転筒４０が軸方向に移動するようになっている。この時、連動ギヤ部４７は、２本のリード２６の間をリード２６に沿って回転前進するので、リード２６とは干渉しない。この回転筒４０は、約１００度の範囲で回転されて、ワイド端とテレ端との間を移動する。また、フランジ部４５の後端面４５ｂには、適宜角度幅で周方向に延在する２つの空走溝４８が形成されている。
　【００３５】第２成分ズーム枠５０は、大略ドーナツ状の本体部５２と、本体部５２の外周面から径方向外側に突設された３本のカムピン５６とを有する。本体部５２の内周面にはフォーカス用内ヘリコイド５４が形成されている。第２成分ズーム枠５０は、回転筒４０の前端４１ａ側から挿入され、第２成分ズーム枠５０のカムピン５６が回転筒４０のズーム回転伝達穴４２にそれぞれ挿入・係合され、さらに、直進筒３０の円筒部３１の内周面３１ｙの第２成分ズームカム溝３４に挿入・係合されるようになっている。
　【００３６】第２レンズ枠６０は、大略円筒形の本体部６２を有し、本体部６２の内部に第２レンズ群６８を支持するようになっている。本体部６２の外周面には、第２成分ズーム枠５０の本体部５２の内周面のフォーカス用内ヘリコイド５４と係合するフォーカス用外ヘリコイド６４が形成されていて、第２レンズ枠６０が第２成分ズーム枠５０の内部にヘリコイド結合されるようになっている。第２レンズ枠６０の本体部６２の外周面には、軸方向に延在する３つのフォーカス回転伝達溝６６が形成されている。
　【００３７】駆動筒７０は、固定筒２０の円筒部２１の内部にこの円筒部２１の内周面に接近して配置される大略円筒状の円筒部７２と、この円筒部７２から前方（矢印９０で示す）にそれぞれ突出する３本のフォーカス回転伝達キー７６および２つのズーム回転伝達キー７８とを有する。円筒部７２の外周面には、全周に渡って駆動ギヤ７４が形成されていて、レンズ駆動長ギヤ１４に噛合するようになっている。また、その駆動ギヤ７４の径は直進筒３０よりは大きく、固定筒２０のリード２６（径は回転筒４０の連動ギヤ４７とほぼ同じ）より小さくなっている。そのため、長ギヤ１４は直進筒３０の外周面と干渉することはなく、また、駆動ギヤ７４はファインダー駆動ギヤ４７やリード２６とかみ合うことはない。フォーカス回転伝達キー７６は、ズーム回転伝達キー７８よりも径方向内側に配置され、かつ、ズーム回転伝達キー７８よりも突出長さが大きい。ズーム回転伝達キー７８は、回転筒４０の空走溝４８に挿入され、駆動筒７０と回転筒４０とが所定の回転遊び角をもって結合されるようになっている。フォーカス回転伝達キー７６は第２レンズ枠６０のフォーカス回転伝達溝６６に摺接し、かつ、フォーカス回転伝達キー７６の外周面７６ａは、第２レンズ枠６０の本体部６２の外周面６２ａより径方向内側となるようになっていて、第２レンズ枠６０を軸方向移動自在に回転させることができるようになっている。駆動筒７０の円筒部７２には適宜位置にバヨネット部（図示せず）が形成され、軸方向に相対移動不自在でかつ相対回転自在に回転筒４０に結合されるようになっている。
　【００３８】次に、上記構成のズームレンズ鏡胴１０の動作について説明する。
　【００３９】このズームレンズ鏡胴１０は、図２に示すように、レンズ駆動長ギヤ１４が不図示の駆動モータによって、後方から前方を見たときに、反時計方向（矢印９４で示す）に回転されると、この長ギヤ１４は駆動筒７０の駆動ギヤ７４を、矢印９６で示す時計方向に回転させる。これによって駆動筒７０が回転すると、駆動筒７０のフォーカス回転伝達キー７６が第２レンズ枠６０のフォーカス回転伝達溝６６に摺接しているので、第２レンズ枠６０が回転される。また、駆動筒７０が回転すると、駆動筒７０のズーム回転伝達キー７８が回転し、回転筒４０の空走溝４８内を移動する。
　【００４０】駆動筒７０のズーム回転伝達キー７８が回転筒４０の空走溝４８の一方の端面４８ａに達するまでの空走区間においては、回転筒４０は回転されない。そのため、直進筒３０と回転筒４０とは静止状態であり、第１レンズ群３８は静止したままである。また、回転筒４０のズーム回転伝達穴４２にカムピン５６が係合する第２成分ズーム枠５０も回転されない。しかし、第２レンズ枠６０は、前述のように、駆動筒７０の回転によって回転されるので、第２レンズ枠６０は第２成分ズーム枠５０に対して回転する。第２レンズ枠６０のフォーカス用外ヘリコイド６４と第２成分ズーム枠５０のフォーカス用内ヘリコイド５４とは互いに係合しているので、回転された第２レンズ枠６０は、静止状態の第２成分ズーム枠５０に対して、矢印９８で示したように、軸方向前方に移動する。
　【００４１】したがって、空走区間においては、第１レンズ群３８が静止した状態で第２レンズ群６８だけが軸方向に移動され、フォーカス送りが与えられる。
　【００４２】一方、駆動筒７０のズーム回転伝達キー７８が回転筒４０の空走溝４８の一方の端面４８ａに達した後、空走区間を越えてさらに回転されると、ズーム回転伝達キー７８は、回転筒４０の空走溝４８の一方の端面４８ａを付勢して、回転筒４０を矢印９６で示す時計方向に回転させる。
　【００４３】回転筒４０が回転すると、回転筒４０のフランジ部４５のリード結合部４６が固定筒２０の円筒部２１の内周面２１ｙのリード２６に係合しているので、回転筒４０は固定筒２０のリード２６に沿って軸方向前方（矢印９０で示す）に移動する。直進筒３０は回転筒４０にバヨネット結合され、かつ、直進筒３０の円筒部３１から突設された直進結合突起３２が固定筒２０の直進ガイド穴２２ａ，２２ｂに案内されるので、直進筒３０は、回転することなく、回転筒４０とともに軸方向前方９０に一体的に移動し、直進筒３０に支持された第１レンズ群３８も軸方向前方９０に移動する。また、駆動筒７０もバヨネット結合されているので、回転しながら軸方向に一体的に移動する。
　【００４４】また、直進筒３０の第２成分ズームカム溝３４と回転筒４０の第２成分回転伝達溝４２とにカムピン５６で支持されている第２成分ズーム枠５０は、回転筒４０と直進筒３０との相対回転によって軸方向に移動する。このとき、第２成分ズーム枠５０は、そのカムピン５６が回転筒４０のズーム回転伝達穴４２に係合しているので、回転筒４０および駆動筒７０と一体的に回転する。一方、第２成分ズーム枠５０の内部に収納された第２レンズ枠６０は、前述のように駆動筒７０と一体的に回転する。そのため、第２成分ズーム枠５０と第２レンズ枠６０とは一体的に回転し、相対回転しないので、軸方向に相対移動しない。したがって、第２レンズ枠６０に支持された第２レンズ群６８は、第２成分ズーム枠５０に対して軸方向に相対移動することなしに一体的に軸方向に移動する。
　【００４５】したがって、空走区間を越えると、第１および第２レンズ群３８，６８が軸方向に移動されて、ズーム送りが与えられる。このとき、第２レンズ群６８は、第２成分ズーム枠５０に対して最も前方に繰り出された状態である。
　【００４６】上記のようにしてズームレンズ鏡胴１０が回転されると、移動部１２は固定筒２０から前方９０に繰り出され、ズームレンズ鏡胴１０は、図３（ＩＩ）に示したワイド端状態から、図３（Ｉ）に示したテレ端状態となる。
　【００４７】次に、駆動モータが逆回転されると、第１レンズ群３８は静止したままで、第２レンズ群６８だけが矢印９２で示すように軸方向後方に移動し、たとえばテレ端状態から逆回転されたときには、図４（Ｉ）に示すようになる。
　【００４８】すなわち、図２に示すように、駆動モータの逆転によって駆動長ギヤ１４は時計方向９５に回転し、駆動筒７０は反時計方向９７に回転する。そして、駆動筒７０のズーム回転伝達キー７８は回転筒４０の空走溝４８の一方の端面４８ａから離れて、対向する他方の端面４８ｂ側に移動を開始する。つまり、空走区間を逆向きに移動する。このときには、回転筒４０に回転が伝達されないので、固定筒２０に対して、直進筒３０、回転筒４０および第２成分ズーム枠５０は静止状態となる。一方、第２レンズ枠６０は駆動筒７０と一体的に反時計方向９７に回転するので、ヘリコイド５４，６４の係合によって、静止した第２成分ズーム枠５０に対して、矢印９２で示すように軸方向後方に移動する。
　【００４９】さらに、駆動モータが逆回転すると、駆動筒７０のズーム回転伝達キー７８は回転筒４０の空走溝４８の他方の端面４８ｂに当接し、直進筒３０、回転筒４０および第２レンズ枠５０も回転される。これによって、移動部１２は全体的に固定筒１０内に繰り込まれ、第１および第２レンズ群３８，６８が移動されてズーム送りが与えられる。ズームレンズ鏡胴１０は、図４（ＩＩ）に示すワイド端状態まで、繰り込まれる。このとき、第２レンズ枠６０は第２成分ズーム枠５０に対して最も後側位置となって、第２成分ズーム枠５０と一体的に移動される。
　【００５０】なお、レンズ繰り込み時には、駆動モータは、逆回転停止後に、再び、所定量だけ正回転し、ズームレンズ鏡胴１０がテレ側に繰り出される。これは、ズームレンズ鏡胴１０のがたが、レンズ繰り出し後に停止したときと同じとなるようにするためである。すなわち、駆動モータは、直進筒３０、回転筒４０および第２レンズ枠５０が回転されるまで逆転し、これによって、たとえば図３（ＩＩ）に示すように、第２レンズ枠６０が第２成分ズーム枠５０の最も前端側に位置するようにしてから、ズームレンズ鏡胴１０の駆動を停止する。
　【００５１】上記のズームレンズ鏡胴１０は、ズーム送りが与えられるときに、回転筒４０が回転し、それによって、ファインダー駆動長ギヤ１６も回転する。このファインダー駆動長ギヤ１６には、ファインダーユニット１８の連動ギヤ１７が噛合しているので、ズームレンズ鏡筒１０にズーム送りが与えられるときには、ファインダーユニット１８の連動ギヤ１７にも回転が伝達される。したがって、ファインダーユニット１８は、専用の駆動源を用いることなく、簡単な構成で、ズームレンズ鏡筒１０のズーム駆動に連動してズーム駆動される。
　【００５２】次に、このズームレンズ鏡胴１０の制御について説明する。このズームレンズ鏡胴１０は、図５のブロック図に示した制御回路によって制御される。すなわち、ＣＰＵ８０には、モータ回転量検出手段８２たとえばエンコーダと、テレ／ワイド検出スイッチ８４と、シャッター３５の駆動回路であるシャッタードライバー８６と、モータ８９の駆動回路であるモータドライバー８８とが接続されている。なお、図示は省略しているが、ＣＰＵ８０には、上記のズームレンズ鏡胴１０に直接に関係する機器類以外にも、通常のカメラと同様に、レリーズスイッチ２０２や測距装置２０１などが接続されている。
　【００５３】このズームレンズ鏡胴１０は、カメラのテレ／ワイド操作スイッチ８４が操作されて、テレ／ワイド操作スイッチ８４からの信号がＣＰＵ８０に入力されると、ＣＰＵ８０はテレ／ワイドに対応してモータドライバー８８に制御信号を送り、モータ８９を正回転または逆回転させる。たとえば、テレ／ワイド操作レバーがテレ側に操作された後に中間位置に戻されて、テレ／ワイド検出スイッチ８４からの信号がＣＰＵ８０に入力されなくなると、ＣＰＵ８０は、モータドライバー８８に停止制御信号を送り、モータ８９の正回転を停止させる。一方、テレ／ワイドレバーがワイド側に操作された後に中間位置に戻されて、テレ／ワイド検出スイッチ８４からの信号がＣＰＵ８０に入力されなくなると、ＣＰＵ８０は、モータドライバー８８に正回転制御信号を送り、逆回転していたモータ８９を正回転させる。そして、ＣＰＵ８０は、モータ回転量検出手段８２からの信号を監視し、モータの正回転量が空走区間に対応する所定量を越えたと判定すると、モータドライバ８８に停止制御信号を送る。
　【００５４】また、カメラのレリーズスイッチ２０２が途中まで、すなわち１段目まで押されると、ＣＰＵ８０は、測距装置２０１からの撮影距離データに基づいてモータの回転量を算出し、モータドライバー８８に逆回転の制御信号を送り、モータ回転検出手段８２で監視しながら、算出した回転量まで、モータ８９を逆回転させる。
　【００５５】そして、カメラのレリーズスイッチがさらに押されると、すなわち２段目まで押されると、ＣＰＵ８０は、シャッタードライバー８６に制御信号を送り、シャッター３４を動作させる。
　【００５６】上記構成において、一つの駆動モータを用いて、フォーカス送りとズーム送りとを与えることができる。駆動モータはズームレンズ鏡胴１０の外部に設けているので、ズームレンズ鏡胴１０が大きくなることはない。また、第２成分ズーム枠５０の内ヘリコイド５４と第２レンズ枠６０の外ヘリコイド６４とを適宜に選択することによって、ズーム送りとは無関係に、フォーカス送りの分解能だけを高くすることができる。たとえば、駆動モータの同一回転量に対して、フォーカス送りの軸方向送り量がズーム送りの軸方向送り量の１／３以下となるように、ヘリコイド５４，６４のリードを選択する。
　【００５７】上記第１実施形態では、ファインダーユニット１８には、モータの回転がズームレンズ鏡胴１０の回転筒４０を介して伝達されるが、次に、ズームレンズ鏡胴１０を介さずに回転を伝達する第２実施形態のズームレンズ鏡胴１０ａおよびファインダー装置について、説明する。
　【００５８】このズームレンズ鏡胴１０ａは、第１実施形態のズームレンズ鏡胴１０と大略同様に構成されるので、以下では相違点を中心に説明する。
　【００５９】図６の一部組立斜視図に示すように、このズームレンズ鏡胴１０ａは、固定筒２０ａの内部には駆動長ギヤ１４だけが挿入され、ファインダー駆動長ギヤ１６は設けられていない。代わりに、駆動長ギヤ１４に噛合するファインダー駆動機構１００が、ズームレンズ鏡胴１０ａの外側に設けられている。このファインダー駆動機構１００は、ファインダー装置の駆動伝達手段を構成する。
　【００６０】詳しくは、ファインダー装置の一部であるファインダー駆動機構１００は、駆動長ギヤ１４に噛合する回転自在の第１ギヤ１０２と、第１ギヤ１０２に噛合する回転自在の第２ギヤ１１０と、第２ギヤ１１０と同軸に隣接して配置された回転自在の中間ローラ１２０と、中間ローラ１２０に隣接して第２ギヤ１１０とは反対側に配置された回転自在の第３ギヤ１３０とを有し、第３ギヤ１３０はファインダーユニット１８のファインダーカム１９に結合されるようになっている。第２ギヤ１１０は、その中間ローラ１２０側の端面に、対称位置に配置され軸方向に突出する一対の回転伝達バー１１２を有する。中間ローラ１２０は、その第２ギヤ１１０側の端面に、大略１８０度の範囲で扇状に延在する２つの差動溝１２４を有し、各差動溝１２４内に第２ギヤ１１０の各回転伝達バー１１２がそれぞれ挿入されるようになっている。また、中間ローラ１２０の第３ギヤ１３０側の端面には、第２ギヤ１１０と同様に突設された一対の回転伝達バー１２２を有する。第３ギヤ１３０は、その中間ローラ１２０側の端面に、中間ローラ１２０の差動溝１２４と同様に形成された２つの差動溝１３４を有し、各差動溝１３４内に中間ローラ１２０の各回転伝達バー１２２がそれぞれ挿入されるようになっている。
　【００６１】上記構成において、第２ギヤ１１０と中間ローラ１２０とは、第２ギヤ１１０の回転伝達バー１１２が差動溝１２４の一方の端面１２６から他方の端面１２８に当接するまでの間は、第２ギヤ１１０から中間ローラ１２０に回転が伝達されない空走区間となる。同様に、中間ギヤ１２０と第３ギヤ１３０との間にも、回転伝達バー１２２および差動溝１３４によって、空走区間が形成される。この２つの空走区間が、丁度、ズームレンズ鏡胴１０ａの空走区間と一致するようになっている。
　【００６２】すなわち、駆動長ギヤ１４が矢印９４で示すように、前方から見て時計方向に回転されると、第１ギヤ１０２を介して、第２ギヤ１１０も時計方向９８に回転する。この回転によって、第２ギヤ１１０の回転伝達バー１１２は、中間ローラ１２０の差動溝１２４の一方の端面１２６に接していた状態から時計方向に回転する。第２ギヤ１１０の回転伝達バー１１２が中間ローラ１２０の差動溝１２４の他方の端面１２８に達するまでは、中間ローラ１２０には回転が伝達されないので、中間ローラ１２０は静止している。
　【００６３】第２ギヤ１１０の回転伝達バー１１２が中間ローラ１２０の差動溝１２４の他方の端面１２８に達した後は、回転伝達バー１１２が差動溝１２４の他方の端面１２８を付勢するので、第２ギヤ１１０と中間ローラ１２０とは、一体的に同方向に回転する。
　【００６４】中間ローラ１２０が回転を開始すると、中間ローラ１２０の回転伝達バー１２２は第３ギヤ１３０の差動溝１３４の一方の端面１３６から離れて他方の端面１３８に向けて移動するが、他方の端面１３８に達するまでは、第３ギヤ１３０に回転が伝達されないので、第３ギヤ１３０は静止している。中間ローラ１２０の回転伝達バー１２２が第３ギヤ１３０の差動溝１３４の他方の端面１３８に達した後は、回転伝達バー１２２が差動溝１３４の他方の端面１３８を付勢するので、第３ギヤ１３０は中間ローラ１２０と一体的に回転する。この第３ギヤ１３０の回転開始は、ズームレンズ鏡胴１０ａの回転筒４０の回転開始すなわちズーム送りの開始と同期するようにする。
　【００６５】上記のように、第２ギヤ１１０と中間ローラ１２０との間、および中間ローラ１２０と第ギヤ１３０との間に、それぞれ空走区間を設けることによって、小さいスペースで、ズームレンズ鏡胴１０ａの空走区間とファインダー駆動機構１００の空走区間とを一致させることができる。したがって、ファインダー装置は、ファインダー装置専用の駆動源を用いることなく、簡単な構成で、ズームレンズ鏡筒１０ａのズーム駆動に連動してズーム駆動される。
　【００６６】次に第３実施形態のズームレンズ鏡胴１０ｂについて説明する。第３実施形態は、第１および第２実施形態の鏡胴構成を２段繰り出しタイプの鏡胴に適用したものである。まず、図１０の縦断面図を参照しながら、概略を説明する。図１０の（Ａ）はテレ端状態、（Ｂ）はワイド端状態、（Ｃ）は沈胴状態を示す。
　【００６７】第１実施例と同様に、ズームレンズ鏡胴１０ｂは、長ギヤ３１４（図１１に図示）によって駆動筒３７０が駆動されると、その駆動は遊びをもって、回転筒３４０に伝達される。その遊び（空走区間）を利用してフォーカス動作を行うことは、第１実施形態と同様である。空走区間の端まで駆動筒３７０が回転すると、回転筒３４０も一体的に回転する。回転筒３４０は固定筒３２０にリード結合しているので、バヨネット結合された直進筒３３０および駆動筒３７０と一体的に光軸方向に進退する。その時、直進筒３３０は固定筒３２０に直進ガイドされており、直進する。前進筒３９０には、第１成分レンズ・シャッターユニット３９３が取り付けられており、回転筒３４０とヘリコイド結合し、直進筒３３０に直進ガイドされているので、回転筒３４０が回転しながら光軸方向に進退すると、前進筒３９０は、回転筒３４０に対して光軸方向に進退し、第１成分レンズ・シャッターユニット３９３をズームに必要なレンズ位置へ移動する。また、第２成分ズーム枠３５０は、回転筒３４０とキー結合して回転を伝達され、直進筒３３０とカム結合しているので回転筒３４０の回転にともなって、回転筒３４０に対して光軸方向に進退し、ズームに必要なレンズ位置へ移動する。
　【００６８】次に、より具体的に説明するが、上述のように第１実施形態と共通の部分が多いので、以下では、主に第１実施形態との相違部について説明する。
　【００６９】固定筒３２０の内面には、リード３２６および不図示の直進ガイドがあり、それぞれ、回転筒３４０の後端部にあるリード結合部３４６及び直進筒３３０の後端部にある直進係合突起３３２（図１２では、３３２ａ，３３２ｂ，３３２ｃ）と結合している。回転筒３４０と直進筒３３０はバヨネット部ａによってバヨネット結合し、直進筒３３０と駆動筒３７０はバヨネット部ｂによってバヨネット結合しており、３者は光軸方向一体、回転自在に結合している。直進筒３３０と駆動筒３７０の間には補強板３９５がはさまれており、駆動力により直進筒３３０が変形するのを防いでいる。駆動筒３７０の後端部には駆動ギヤ３７４があり、第１実施形態と同様、固定筒３２０に保持された長ギヤ３１４（図１１参照）とギヤ結合されており、不図示のモータによって駆動される。回転筒３４０の後端にはファインダー連動ギヤ部３４７があり、第１実施形態と同様、ファインダーのズーム機構に連動している。
　【００７０】また、回転筒３４０の後端にはズーム回転伝達キー３４９があり、駆動ギヤ３７４から所定の遊びをもって回転を伝達されるようになっている。図１１は回転筒３４０および駆動筒３７０をフィルム側から見た図である。図に示したように、駆動筒３７０の外周には駆動ギヤ３７４および空走溝３７８があり、駆動筒３７０が回転すると、空走溝３７８を空走してから空走溝３７８の端面３７８ａ，３７８ｂが回転筒３４０のズーム回転伝達キー３４９に当接して回転を回転筒３４０に伝達する。
　【００７１】図１２に直進筒３３０とズーム回転伝達キー３４９の関係を示す。図１０に示したように、ズーム回転伝達キー３４９は回転筒３４０の後端から駆動筒３７０の方へ直進筒３３０をはさむように突出している。
しかし、ズーム回転伝達キーがズーム時に回転する領域は、直進筒３３０の小径部３３１Ｚ内にあるので、両者が干渉することはない。
　【００７２】図１０に示すように、回転筒３４０の内面には、ヘリコイド３４９ｘおよびズーム回転伝達キー溝３４２があり、それぞれ前進筒３９０の後端のヘリコイド結合部３９１および第２成分ズーム枠３５０のカムピン３５６と係合している。直進筒３３０の外周には直進伝達キー３３６があり、前進筒３９０の内面の直進係合キー３９２と係合している。また、直進筒３３０には第２成分ズームカム穴３３４があり、第２成分ズーム枠３５０のカムピン３５６とカム係合している。前進筒３９０には保護ガラス３９４および第１成分レンズ・シャッターユニット３９３が取り付けられている。
　【００７３】第２レンズ枠３６０には第２成分レンズＧ３，Ｇ４が保持されており、外周に形成された外ヘリコイドが第２成分ズーム枠３５０内面の内ヘリコイドとヘリコイド結合している。第２レンズ枠３６０にはフォーカス回転伝達部３６６があり、駆動筒３７０のフォーカス回転伝達キー３７６と結合して、回転を伝達される。
　【００７４】図１３に、フォーカス回転伝達キー３７６と第２成分ズーム枠３５０の関係を示す。フォーカス回転伝達キー３７６は、フォーカス時にはカムピン３５６の間を回転し、ズーム時にはカムピン３５６と一体に回転するので、カムピン３５６と干渉することはない。なお、図１３ではフォーカス回転伝達キー３７６は一本であるが、２本、あるいは３本でもよい。
　【００７５】図１０に示すように、第１成分レンズ・シャッターユニット３９３と第２レンズ枠３６０の間には第２成分付勢スプリング３９９があり、第２成分すなわち第２レンズ枠３６０を後方へ付勢してヘリコイドやカムのガタをなくし、フォーカスの精度を高めている。また、シャッターを駆動するためのフレキシブル基板３９８は、その途中を直進筒３３０に固着されており、ズーミングにともなるフレキシブル基板３９８のたわみは、フレキ前部３９８ａは、第１レンズシャッターユニット３９３の側方の空間で吸収し、フレキ後部３９８ｂは直進筒３３０の後方、かつ固定筒３２０の内部の部分で吸収するようになっている。また、周方向位置は、フォーカス回転伝達キー３７６の回転範囲外にあり、フォーカス回転伝達キー３７６と干渉しないようになっている。
　【００７６】次に動作を説明する。
　【００７７】まず、ズーム時の動きを説明する。レンズ駆動長ギヤ３１４によって駆動筒３７０が回転し、ズーム回転伝達キー３４９によって回転筒３４０が回転すると、固定筒３２０とリード結合により回転筒３４０は光軸方向に移動する。このとき、バヨネット結合された直進筒３３０及び駆動筒３７０も一体に移動する。さらに前進筒３９０は直進筒３３０に直進ガイドされ、回転筒３４０とヘリコイド結合しているので、回転せずに、回転筒３４０に対して光軸方向に移動し、それとともに第１成分レンズ・シャッターユニット３９３も光軸方向に移動する。また、第２成分ズーム枠３５０は、回転筒３４０と一体的に回転し、直進筒３３０のカムによって光軸方向に移動する。また、第２レンズ枠３６０はフォーカス回転伝達キー３７６によって第２成分ズーム枠３５０と一体に回転するので、両者のヘリコイドは同状態を保ったままである。このとき、第１成分レンズＧ１，Ｇ２と第２成分レンズＧ３，Ｇ４は、光学的に要求される関係を保ってズームする。ズーミング後、駆動筒３７０を反転すると、空走溝３７８によって回転は回転筒３４０に伝達されないので、回転筒３４０は回転せず、上述のズーム動作は行われない。駆動筒３７０の回転はフォーカス回転伝達キー３７６によって第２レンズ枠３６０に伝達され、第２レンズ枠３６０が回転する。第２成分ズーム枠３５０は止まったままなので、両者間のヘリコイドによって第２レンズ枠３６０が光軸方向に移動し、フォーカシングが行われる。
　【００７８】なお、詳細な動作、制御、ファインダーへの連動は、第１、第２実施形態と同じであり、また逆に、第３実施形態の構成を第１、第２実施形態の２段構成の鏡胴に用いることも可能である。
　【００７９】なお、本発明は、上記各実施形態に限定されるものではなく、その他種々の態様で実施可能である。たとえば、ズームレンズ鏡胴はより多段で繰り出されるように構成してもよい。
【図面の簡単な説明】
　【図１】　本発明の第１実施形態のズームレンズ鏡胴およびファインダー装置の組立斜視図である。
　【図２】　図１のズームレンズ鏡胴の分解斜視図である。
　【図３】　図１のズームレンズ鏡胴の繰り出し時の縦断面図である。
　【図４】　図１のズームレンズ鏡胴の繰り込み時の縦断面図である。
　【図５】　図１のズームレンズ鏡胴を制御するための制御回路のブロック図である。
　【図６】　本発明の第２実施形態のズームレンズ鏡胴およびファインダー装置の斜視図である。
　【図７】　従来例のズームレンズ鏡胴の分解斜視図である。
　【図８】　従来例のズームレンズ鏡胴の組立斜視図である。
　【図９】　図８のズームレンズ鏡胴のカム曲線図である。
　【図１０】　本発明の第３実施形態に係るレンズ鏡胴の縦断面図である。
　【図１１】　図１０のレンズ鏡胴を光軸方向フィルム側から見た要部組立図である。
　【図１２】　図１１と同様の要部組立図である。
　【図１３】　図１１と同様の要部組立図である。
　【符号の説明】
　１０，１０ａ，１０ｂ　ズームレンズ鏡胴（ズームレンズ）
　１２　移動筒
　１４　　レンズ駆動長ギヤ
　１６　　ファインダー駆動長ギヤ
　１７　　連動ギヤ（駆動伝達手段）
　１８　　ファインダーユニット（ファインダー装置）
　１９　　ファインダーカム
　２０　　固定筒（ズーム駆動系）
　２１　　円筒部
　２１ｂ　後端
　２１ｓ，２１ｔ　開口部
　２１ｙ　内周面
　２２ａ，２２ｂ　直進ガイド穴
　２４ａ，２４ｂ　ガイド穴ブリッジ
　２６　　リード
　２８　　直進キー
　２９　　リード線通し穴
　３０　　直進筒（ズーム駆動系）
　３１　　円筒部
　３１ａ　前端部
　３１ｂ　後端部
　３１ｙ　内周面
　３２　　直進係合突起
　３２ａ　長ギヤ逃げ部
　３４　　第２成分ズームカム溝
　３５　　シャッター（シャッター機構）
　３６　　シャッター駆動ユニット（シャッター機構）
　３７　　リード線
　３８　　第１レンズ群（第２レンズ）
　３９　　リード線逃げ溝
　４０　　回転筒（ズーム駆動系）
　４１　　円筒部
　４１ａ　前端
　４２　　ズーム回転伝達穴
　４５　　フランジ部
　４５ｂ　後端面
　４６　　リード結合部
　４７　　ファインダー連動ギヤ部（ファインダー駆動伝達手段）
　４８　　空走溝（第２伝達手段、レンズ駆動伝達手段、駆動伝達手段）
　５０　　第２成分ズーム枠（フォーカス駆動系、ズーム駆動系、ズーム枠）
　５２　　本体部
　５４　　内ヘリコイド
　５６　　カムピン
　６０　　第２レンズ枠（フォーカス駆動系、ズーム駆動系、レンズ枠）
　６２　　本体
　６２ａ　外周面
　６４　　内ヘリコイド
　６６　　フォーカス回転伝達溝
　６８　　第２レンズ群（第１レンズ）
　７０　　駆動筒（第１伝達手段、レンズ駆動伝達手段、駆動伝達手段）
　７２　　円筒部
　７４　　駆動ギヤ
　７６　　フォーカス回転伝達キー
　７６ａ　外周面
　７８　　ズーム回転伝達キー
　８０　　ＣＰＵ
　８２　　モータ回転量検出手段
　８４　　テレ／ワイド操作スイッチ
　８６　　シャッタードライバー
　８８　　モータドライバー
　８９　　モータ
　１００　　ファインダー駆動機構（ファインダー駆動伝達手段）
　１０２　　第１ギヤ
　１１０　　第２ギヤ
　１１２　　回転伝達バー
　１２０　　中間ローラ
　１２２　　回転伝達バー
　１２４　　差動溝
　１２６，１２８　溝端面
　１３０　　第３ギヤ
　１３４　　差動溝
　１３６，１３８　溝端面
　２０１　　測距装置
　２０２　　レリーズスイッチ
　３１４　　長ギヤ
　３２０　　固定筒
　３２６　　リード
　３３０　　直進筒
　３３１Ｚ　小径部
　３３２，３３２ａ，３３２ｂ，３３２ｃ　直進係合突起
　３３４　　第２成分ズームカム穴
　３３６　　直進伝達キー溝
　３４０　　回転筒
　３４２　　キー溝
　３４６　　リード結合部
　３４７　　ファインダー連動ギヤ
　３４９　　ズーム回転伝達キー
　３４９Ｘ　ヘリコイド
　３５０　　第２成分ズーム枠
　３５６　　カムピン
　３６０　　第２レンズ枠
　３６６　　フォーカス回転伝達部
　３７０　　駆動筒
　３７４　　駆動ギヤ
　３７６　　フォーカス回転伝達キー
　３７８　　空走溝
　３７８ａ，３７８ｂ　端面
　３９０　　前進筒
　３９１　　ヘリコイド結合部
　３９２　　直進係合キー
　３９３　　第１成分レンズ・シャッターユニット
　３９４　　保護ガラス
　３９５　　補強板
　３９８　　フレキシブル基板
　３９８ａ　前部
　３９８ｂ　後部
　３９９　　第２成分付勢スプリング